(57)【要約】【課題】従来の構成では、天井放射パネルに設けた小孔がゴミや埃等により詰まってしまうと対流で室内空間Ａを冷暖房できなくなる。また、冷房が止まると特に梅雨の高温多湿時期は天井裏が結露により、カビが発生してしまう可能性が高くなり、しいてはアレルギーの発生など人体への悪影響が心配される。【解決手段】放射冷暖房装置に空気清浄装置を設けたもので、これによりゴミや埃等の混ざった空気を清浄にする。空気清浄装置はゴミや埃等、比較的大きなゴミを回収するフィルタ部分とタバコの煙などの小さな粒子を回収できる電気集塵ユニット部分があり、空気流通流路内に設置するならば、フィルタ部分・電気集塵ユニット部分のそれぞれを組み合わせた状態でも分離した状態で別々に設置しても良い。またどちらか一方の設置でも同様の効果を得られる。【選択図】図１
2008020127.tif 000002
【特許請求の範囲】
【請求項１】
空気清浄機能を設けたことを特徴とした放射冷暖房装置。
【請求項２】
温冷風や室内等温風などの気流を室内に吹き出す室内吹き出し口と、前記気流で暖められたり冷やされしたりする放射パネルと、上記気流を室内吹き出し口と放射パネル側流路の両方またはどちらか一方に流れるよう切り替え制御する分岐装置と、前記分岐装置の上流に空気清浄機能を設けたことを特徴とした請求項１に記載の放射冷暖房装置。
【請求項３】
放射パネル面に沿って気流をながすパネル面気流生成手段を設けたことを特徴とした請求項１または２に記載の放射冷暖房装置。
【発明の詳細な説明】
【技術分野】
【０００１】
本発明は、放射パネル面を冷却あるいは加熱して室内の冷暖房を行なう放射冷暖房装置に関するものである。
【背景技術】
【０００２】
従来、この種の放射冷暖房装置は特許文献１に示されるものがある。図４に示すように、天井放射パネル２０に小孔４０を複数個設け、天井裏空間Ｂに空調機３０を設け、前記空調機３０より吹出す冷温風空気により天井放射パネル２０は冷却または加熱され、天井放射パネル２０の放射により室内空間Ａは空調される。また、前記空調機３０からの冷温風空気の一部が小孔４０から室内空間Ａへ吹出されることにより、直接室内空間Ａを空調することになる。このように前記空調機３０の対流と天井放射パネル２０からの放射により、同時に室内空間Ａの冷暖房を行なうことができる。
【特許文献１】特開平６−１７４２６１号公報
【発明の開示】
【発明が解決しようとする課題】
【０００３】
しかしながら、前記従来の構成では、天井放射パネルに設けた小孔がゴミや埃等により詰まってしまうと対流で室内空間Ａを冷暖房できなくなる。また、冷房が止まると特に梅雨の高温多湿時期は天井裏が結露により、カビが発生してしまう可能性が高くなり、カビ臭が充満してしまい、しいてはアレルギーの発生など人体への悪影響が心配される。また、天井構造材等もカビの発生により劣化し、寿命が短くなることが心配されるが、天井裏に換気扇を設置すると天井裏の空調した冷温風も外に逃げてしまうことになる。
【０００４】
本発明は、前記従来の課題を解決するものであり、小孔のつまり防止やカビの栄養源であるゴミや埃等を浄化してアレルギーの発生をなくし、さらには天井構造材の劣化も防止できる快適な放射冷暖房装置を提供することを目的とする。
【課題を解決するための手段】
【０００５】
前記従来の課題を解決するために、本発明の放射冷暖房装置は、空気清浄機能を設けたものである。
【０００６】
これによって天井裏の空気中のゴミや埃等が浄化されて天井パネルに設けた小孔の目詰まりがなくなり、また天井裏の汚れた空気が室内へ吹出すこともなくなる。
【０００７】
また、本発明の放射冷暖房装置は、温冷風や室内等温風などの気流を室内に吹き出す室内吹き出し口と、前記気流で暖められたり冷やされしたりする放射パネルと、上記気流を室内吹き出し口と放射パネル側流路の両方またはどちらか一方に流れるよう切り替え制御する分岐装置を設けた放射冷暖房装置の分岐装置の上流側に空気清浄機能を設けたものである。これによって、室内吹出し口と放射パネル入口部直前で空気を清浄化することができ常に新鮮で浄化された空気が室内に供給され、また天井パネル内流路に供給されることでカビ繁殖の栄養源であるゴミや埃等をなくし、天井パネル内流路のカビ発生を防止することができる。
【０００８】
また、本発明の放射冷暖房装置は、放射パネル面に沿って気流をながすパネル面気流生成手段を設けたものである。これによって、空気清浄装置で室内のゴミ・埃等の汚れた空気を浄化し、きれいな清浄空気にして室内に吹出され、コアンダ効果で天井パネルに沿って気流を流しても、きれいな清浄空気であるため放射パネル面は汚れにくくなり、美観の
向上、しいては寿命が大幅に伸びることでパネル交換のメンテナンスも削減できる。
【発明の効果】
【０００９】
本発明の放射冷暖房装置は、天井放射パネルに設けた小孔がゴミや埃等により詰まってしまい対流方式による冷暖房効果が悪くなることや冷房停止時、天井空間Ｂの結露の発生によるカビなどの繁殖を抑えることが可能であり、常にきれいで清浄な空気を室内空間Ａに供給することができる。しいてはアレルギーの発生など人体への悪影響の防止やカビによる天井構造材等の腐食防止で品質や耐久性の向上も可能となる。
【発明を実施するための最良の形態】
【００１０】
第１の発明は空気清浄装置を設けた放射冷暖房装置である。空気清浄装置はゴミや埃等、比較的大きなゴミを回収するフィルタ部分とタバコの煙などの小さな粒子を回収できる電気集塵ユニット部分があり、それぞれを組み合わせた状態でも分離した状態で別々に設置しても良い。またどちらか一方の設置でも同様の効果を得ることができる。
【００１１】
従来の天井放射冷暖房装置に空気清浄装置を取り付けることで、天井裏空間Ｂのゴミや埃等がフィルタや電気集塵ユニットで集塵・回収され、天井放射パネルに設けた小孔にゴミや埃が堆積することはなくなる。これにより天井裏空間Ｂと室内空間Ａとの空気の移動がスムーズになり対流方式での冷房効果は持続することができる。また、冷房停止時、結露しやすくなり、カビが発生しやすくなるが、空気清浄装置で栄養源となるゴミや埃等が大幅に少なくなるため、カビの発生が抑えられて、常にきれいな空気を室内空間Ａに供給することができる。しいてはアレルギーの発生など人体への悪影響の防止や天井構造材等へのカビの発生による腐食防止で品質や耐久性の向上も可能である。
【００１２】
第２の発明は、温冷風や室内等温風などの気流を室内に吹き出す室内吹き出し口と、前記気流で暖められたり冷やされしたりする放射パネルと、上記気流を室内吹き出し口と放射パネルの両方またはどちらか一方に流れるよう制御する分岐装置と、前記分岐装置の上流に空気清浄装置を設けた放射冷暖房装置である。
【００１３】
このように違った構成の放射冷暖房装置の場合でも、室内吹出し口側の分岐装置の上流に空気清浄装置を設けることで、空気流路内のゴミや埃等が集塵・回収され、常にきれいな清浄空気を室内空間Ａまたは天井放射パネルの空気循環流路に供給することができる。これにより、放射冷暖房装置内の循環空気は、天井裏のゴミや埃等の混ざったコンタミの汚い空気を室内空間Ａに吹出すことはなくなり、コンタミの問題を解決することができる。
【００１４】
第３の発明は、放射パネル面に沿って気流をながす、エアガイダー状のパネル面気流生成手段を室内吹出し部分と室内吸入部分に設け、コアンダ効果で放射パネルに沿って、新鮮な空気を流すようにした放射冷暖房装置である。
【００１５】
このように室内吹出し部分から吹出した冷暖房空気を天井パネルに沿って流すことで直接人体に冷温風が当たるのを防止し、快適性を向上するとともに対流から放射へ切り替える時の放射パネル面の事前冷却（または暖房）になり、冷暖房を切り替える際、不快な温度上昇（または低下）が少なくなる。また、清浄空気であるため天井パネル面への汚れの付着が減少し、天井パネルの交換時期を大幅に遅らすことができる。
【００１６】
以下、本発明の実施の形態について、図面を参照しながら説明する。なお、この実施の形態によって本発明が限定されるものではない。
【００１７】
（実施の形態１）
図１は、本発明の実施の形態における放射冷暖房装置に空気清浄装置を設置した天井部断面図を示すものである。  
【００１８】
図１において、１は天井放射冷暖房装置、２は天井放射パネル、３は空調機、４は小孔、５は空気清浄装置、Ａは室内空間、Ｂは天井裏空間である。
【００１９】
以上のように構成された天井放射冷暖房装置１について、以下その動作、作用を説明する。
【００２０】
天井裏空間Ｂの空調を行うため空調機３を冷房運転する。天井裏空間Ｂが冷やされると天井パネル２は冷やされ、その放射で室内空間Ａは冷やされると同時に、天井パネル２の小孔４からも冷風が室内空間Ａに吹出し、室内空間Ａは対流と放射の両方で冷やされることになる。しかしながら、冷房運転を停止することで天井裏空間Ｂには暖かい湿った空気が流入して湿度が上昇し結露が生じ、ゴミや埃などの栄養源があるとカビも発生しやすくなる。
【００２１】
空気清浄装置５はそのような栄養源となるゴミや埃等の混ざった空気をフィルタや電気集塵ユニットで集塵・回収し、清浄にするため、カビの発生を抑制することができる。また、冷房運転停止後も天井裏空間が乾燥するまでの一定時間、空気清浄装置５を運転するように制御することでさらにカビの発生を抑制することができる。
【００２２】
このように構成することで天井裏空間Ｂは結露しにくく、カビ等の繁殖も大幅に抑制されることになる。しいては、放射冷暖房装置や天井裏の建材等の腐食防止で寿命が大幅に伸び、メンテナンスも削減することができる。
【００２３】
（実施の形態２）
図２は、本発明の第２の実施の形態における放射冷暖房装置を設置した時の天井部断面図を示すものである。
【００２４】
図２において、１１は天井放射冷暖房装置、１２は天井放射パネル、１３は空調機、１４は空気清浄装置である。１５はパネル流路、１６は分岐装置、１７は室内吹出口、１８は室内吸入口、Ａは室内空間である。
【００２５】
以上のように構成された天井放射冷暖房装置１１について、以下その動作、作用を説明する。
【００２６】
まず、夏場の冷房立ち上がり時は、空調機１３から吹き出す冷房空気は空気清浄装置１４、分岐装置１６を通過し、室内吹出口１７から直接、空調機１３の気流が室内空間Ａに吹き出し、室内吸入口１８より導入されて空調機１３へと室内循環するようになっている。
【００２７】
この時、空気清浄装置１４は室内空間Ａから流入してきたゴミや埃等をフィルタや電気集塵ユニットで集塵・回収し、室内吹出口１７からはきれいな新鮮空気が室内空間Ａに供給されることになる。
【００２８】
そして室内空間Ａが冷えてきたら、次に分岐装置１６が切り替わり、パネル流路１５へ冷房空気が流れ、放射パネル１２が冷却され、空調機１３へと循環する。室内空間Ａは、この放射パネル１２の放射で空調される。この場合も立ち上がり時と同様、パネル流路１５内のゴミ・埃等の汚れた空気は空気清浄機１４で集塵・回収され、再びパネル流路１５へ導入・循環される。
【００２９】
以上のように、本実施の形態において冷房の立ち上り時および放射冷房時ともに循環風路内はきれいな新鮮空気が常時循環しており、天井裏の流路を通過してもゴミや埃の混ざったコンタミが室内空間Ａに吹き出てくることはなく常にきれいで新鮮な空気が供給されることになる。
【００３０】
（実施の形態３）  
図３は、本発明の第３の実施の形態における放射冷暖房装置を設置した時の天井部断面図を示すものである。
【００３１】
図３において、１１は天井放射冷暖房装置、１２は天井放射パネル、１３は空調機、１４は空気清浄装置であり、１５はパネル流路、１６は分岐装置、１７は室内吹出口、１８は室内吸入口、１９はパネル面気流生成手段、Ａは室内空間である。
【００３２】
以上のように構成された放射冷暖房装置１１について、以下その動作、作用を説明する。
【００３３】
まず、夏場の冷房立ち上がり時は、空調機１３から吹き出す冷房空気は空気清浄装置１４、分岐装置１６を通過し、室内吹出口１７から直接、空調機１３の気流が室内空間Ａに吹き出され、室内吸入口１８より導入されて空調機１３へと室内循環するようになっている。この吹出し部分と吸い込み部分にエアガイダー状のパネル面気流生成手段１９を設けてコアンダ効果で放射パネル１２に沿うように気流を流し、放射パネルをあらかじめ冷却しながら室内空間Ａも冷却し、室内吸入口１８より導入されて空調機１３へと室内循環するようになっている。
【００３４】
このとき、空気清浄装置１４で室内のゴミ・埃等の汚れた空気をフィルターや電気集塵ユニットで浄化し、きれいな清浄空気にして室内空間Ａに吹出され、コアンダ効果で天井パネルに沿って通過させる。
【００３５】
以上のように、放射パネル１２に沿うように気流を流してもきれいな清浄空気であるため放射パネル１２は汚れにくくなり、美観の向上、しいては寿命が大幅に伸びることでパネル交換のメンテナンスも削減できる。
【産業上の利用可能性】
【００３６】
以上のように、本発明にかかる放射冷暖房装置は、放射冷暖房装置１に設置した空気清浄装置１４で天井裏流路を循環する空気はきれいな清浄空気となり、ゴミ・埃等などを排除しコンタミなどの問題を解決することが可能となり、しいてはカビ繁殖による材料の腐食防止で放射冷暖房装置・住宅建材等の品質・寿命の向上を可能とする。
【図面の簡単な説明】
【００３７】
【図１】本発明の実施の形態１における放射冷暖房装置の天井部断面図
【図２】本発明の実施の形態２における放射冷暖房装置の天井部断面図
【図３】本発明の実施の形態３における放射冷暖房装置の天井部断面図
【図４】従来の天井放射冷暖房装置の天井部断面図
【符号の説明】
【００３８】
１、１０、１１  天井放射冷暖房装置
２、１２、２０  天井放射パネル
３、１３、３０  空調機
４、４０  小穴
５、１４  空気清浄装置
１５  パネル流路
１６  分岐装置
１７  室内吹出口
１８  室内吸込口
１９  パネル面気流生成手段
Ａ  室内空間
Ｂ  天井裏空間
【図１】
2008020127.tif 000003
【図２】
2008020127.tif 000004
【図３】
2008020127.tif 000005
【図４】
2008020127.tif 000006